(57)【要約】【課題】全体的に小型化が可能で、外観のデザインの自由度を向上させることができ、しかも、組み付け作業も比較的容易に行うことができる飲料容器と飲料容器の組み付け方法の提供。【解決手段】液体を貯留する内容器６が、首部６ｂで絞られて上方の内容器上部６ａと下方の内容器下部６ｃとを有し、内容器６の少なくとも内容器下部６ｃの外方を覆う外胴ケース７と上下方向に延出するハンドル８とを備え、ハンドル８が、外胴ケース７と一体的に形成され、外胴ケース７が、ハンドル８の延出方向に沿ってハンドル８を一対のハンドル部材８ａ、８ｂに二分する状態で複数の外胴ケース部材７ａ、７ｂにより構成され、複数の外胴ケース部材７ａ、７ｂが、内容器６の横側方から内容器６の外方に組み付け可能に構成されている飲料容器と飲料容器の組み付け方法。【選択図】図４
2014223194.tif 000002
【特許請求の範囲】
【請求項１】
液体を貯留する内容器が、その上下方向間に位置する首部で絞られて当該首部より上方の内容器上部と当該首部より下方の内容器下部とを有し、当該内容器の少なくとも前記内容器下部の外方を覆う外胴ケースと、当該外胴ケースに設けられ上下方向に延出するハンドルとを備えた飲料容器であって、
前記ハンドルが、前記外胴ケースと一体的に形成され、当該外胴ケースが、前記ハンドルの延出方向に沿って当該ハンドルを一対のハンドル部材に二分する状態で複数の外胴ケース部材により構成され、当該複数の外胴ケース部材が、前記内容器の横側方から当該内容器の少なくとも前記内容器下部の外方に組み付け可能に構成されている飲料容器。
【請求項２】
前記内容器内の液体を加熱する加熱機構と当該加熱機構による加熱により生じる蒸気を検知する蒸気検知機構とが、前記内容器の下方にそれぞれ設けられ、前記加熱機構への通電を開始する通電スイッチが、前記一対のハンドル部材により挟み込まれるように配置され、前記蒸気検知機構に蒸気を導く検知用蒸気流路が、前記内容器の外方で前記ハンドル側に配置されている請求項１に記載の飲料容器。
【請求項３】
前記外胴ケースが、前記ハンドルを二分する２つの外胴ケース部材により構成され、当該２つの外胴ケース部材の一方が、前記内容器に連設された取り付け部材に対して螺合部材により取り付けられ、当該２つの外胴ケース部材の他方が、前記取り付け部材及び前記螺合部材を覆うように前記一方の外胴ケース部材に対して横側方から組み付け可能に構成されている請求項１又は２に記載の飲料容器。
【請求項４】
前記２つの外胴ケース部材の一方が、前記内容器下部の上方側において前記内容器の中心線を挟んで相対向する側に連設された一対の前記取り付け部材に取り付けられ、当該２つの外胴ケース部材の他方が、前記一方の外胴ケース部材に対して組み付けられ、当該２つの外胴ケース部材の一方及び他方の底部に底ケース部材が取り付けられている請求項３に記載の飲料容器。
【請求項５】
前記外胴ケースが、前記内容器における前記内容器上部の下方の一部、前記首部、及び、前記内容器下部の外方のみを覆うように構成され、当該内容器の前記内容器上部の上方の一部が露出されている請求項１〜４のいずれか１項に記載の飲料容器。
【請求項６】
上記請求項１〜５のいずれか１項に記載の飲料容器の組み付け方法であって、
前記複数の外胴ケース部材のそれぞれを前記内容器の横側方から当該内容器の少なくとも前記内容器下部の外方に組み付ける飲料容器の組み付け方法。
【発明の詳細な説明】
【技術分野】
【０００１】
本発明は、液体を貯留する内容器が、その上下方向間に位置する首部で絞られて当該首部より上方の内容器上部と当該首部より下方の内容器下部とを有し、当該内容器の少なくとも内容器下部の外方を覆う外胴ケースと、当該外胴ケースに設けられ上下方向に延出するハンドルとを備えた飲料容器と飲料容器の組み付け方法に関する。
【背景技術】
【０００２】
このような構成の飲料容器としては、例えば、電気ケトルが知られている。従来の電気ケトルでは、内容器の外方を覆う外胴ケースが筒状の一体物として構成され、その筒状の外胴ケースに対して、別体に構成されたハンドルが取り付けられる構成とされていた（例えば、特許文献１参照）。
【先行技術文献】
【特許文献】
【０００３】
【特許文献１】特開２０１２−１５２６０３号公報
【発明の概要】
【発明が解決しようとする課題】
【０００４】
特許文献１に記載の電気ケトルでは、外胴ケースが筒状の一体物であるため、内容器の外方に外胴ケースを組み付ける際、内容器の上方又は下方から外胴ケースを被せて組み付けることになる。
しかしながら、上述したように、内容器が、上述したような内容器上部、首部、及び、内容器下部を有する形状であるため、内容器に被せる外胴ケースは、その最小内径を、内容器上部又は内容器下部の外径のうち、小さい側の外径よりも大きくせざるを得ず、外観においてデザイン的な制約を受けるばかりか、内容器の首部と外胴ケースとの間に不必要な空間が生じて、全体的に大型化するという問題があった。
また、ハンドルに関しても、外胴ケースと別体に構成されていたので、外胴ケースに対してハンドルを取り付けるための作業も必要であった。
【０００５】
本発明は、かかる実情に鑑みてなされたものであり、その目的は、全体的に小型化が可能で、外観のデザインの自由度を向上させることができ、しかも、組み付け作業も比較的容易に行うことができる飲料容器とその飲料容器の組み付け方法を提供することにある。
【課題を解決するための手段】
【０００６】
上記目的を達成するための本発明による飲料容器は、液体を貯留する内容器が、その上下方向間に位置する首部で絞られて当該首部より上方の内容器上部と当該首部より下方の内容器下部とを有し、当該内容器の少なくとも前記内容器下部の外方を覆う外胴ケースと、当該外胴ケースに設けられ上下方向に延出するハンドルとを備えた飲料容器であって、その特徴構成は、
前記ハンドルが、前記外胴ケースと一体的に形成され、当該外胴ケースが、前記ハンドルの延出方向に沿って当該ハンドルを一対のハンドル部材に二分する状態で複数の外胴ケース部材により構成され、当該複数の外胴ケース部材が、前記内容器の横側方から当該内容器の少なくとも前記内容器下部の外方に組み付け可能に構成されている点にある。
【０００７】
上記特徴構成によれば、外胴ケースが複数の外胴ケース部材により構成され、当該複数の外胴ケース部材が内容器の横側方から内容器の少なくとも内容器下部の外方に組み付け可能に構成されているので、例えば、複数の外胴ケース部材からなる外胴ケースを内容器の外形に沿った形状に構成することができるなど、外観上、外胴ケースのデザインの自由度を大幅に向上させることができるとともに、全体的に小型化することも可能となる。
しかも、ハンドルが外胴ケースと一体的に形成され、その外胴ケースが、ハンドルの延出方向に沿って当該ハンドルを一対のハンドル部材に二分する状態で複数の外胴ケース部材に分割されているので、複数の外胴ケース部材を組み付けると、同時に一対のハンドル部材も組み付けられることになり、外胴ケース及びハンドルの組み付け作業も比較的容易となる。
よって、全体的に小型化が可能で、外観のデザインの自由度を向上させることができ、しかも、組み付け作業も比較的容易に行うことができる飲料容器を得ることができた。
【０００８】
本発明による飲料容器の更なる特徴構成は、前記内容器内の液体を加熱する加熱機構と当該加熱機構による加熱により生じる蒸気を検知する蒸気検知機構とが、前記内容器の下方にそれぞれ設けられ、前記加熱機構への通電を開始する通電スイッチが、前記一対のハンドル部材により挟み込まれるように配置され、前記蒸気検知機構に蒸気を導く検知用蒸気流路が、前記内容器の外方で前記ハンドル側に配置されている点にある。
【０００９】
上記特徴構成によれば、内容器の下方に加熱機構が設けられているので、当該加熱機構により内容器内の液体を加熱することができ、その際、内容器の外側が外胴ケースにより覆われて二重構造になっているため、たとえ内容器内の液体が高温になっても、外胴ケースの高温化が緩和される。
そして、当該加熱機構への通電を開始する通電スイッチが一対のハンドル部材により挟み込まれ、内容器の下方には蒸気検知機構が設けられているとともに、当該蒸気検知機構に蒸気を導く検知用蒸気流路が、内容器の外方でハンドル側に配置されているので、ハンドルを一対のハンドル部材に二分する外胴ケース部材の構成を有効に利用して、通電スイッチと検知用蒸気流路とを所望の位置に効果的に配置することができる。
【００１０】
本発明による飲料容器の更なる特徴構成は、前記外胴ケースが、前記ハンドルを二分する２つの外胴ケース部材により構成され、当該２つの外胴ケース部材の一方が、前記内容器に連設された取り付け部材に対して螺合部材により取り付けられ、当該２つの外胴ケース部材の他方が、前記取り付け部材及び前記螺合部材を覆うように前記一方の外胴ケース部材に対して横側方から組み付け可能に構成されている点にある。
【００１１】
上記特徴構成によれば、外胴ケースがハンドルを二分する２つの外胴ケース部材により構成されているので、３つ以上の外胴ケース部材により構成される場合に比べて、その組み付け作業がより一層容易となる。
そして、２つの外胴ケース部材の一方が内容器に連設される取り付け部材に対して螺合部材により取り付けられるので、当該一方の外胴ケース部材の内容器への取り付けを確実に行うことができることに加えて、２つの外胴ケース部材の他方が、取り付け部材及び螺合部材を覆うように組み付け可能に構成されているので、内容器に連設される取り付け部材及び螺合部材が露出せず、外観が損なわれることを防止することができる。
【００１２】
本発明による飲料容器の更なる特徴構成は、前記２つの外胴ケース部材の一方が、前記内容器下部の上方側において前記内容器の中心線を挟んで相対向する側に連設された一対の前記取り付け部材に取り付けられ、当該２つの外胴ケース部材の他方が、前記一方の外胴ケース部材に対して組み付けられ、当該２つの外胴ケース部材の一方及び他方の底部に底ケース部材が取り付けられている点にある。
【００１３】
上記特徴構成によれば、一方の外胴ケース部材が内容器下部の上方側において内容器の中心線を挟んで相対向する側に連設された一対の取り付け部材に取り付けられるので、一方の外胴ケース部材の内容器への取り付けをより一層確実に行うことができ、その一方の外胴ケース部材に対して他方の外胴ケース部材が組み付けられるので、他方の外胴ケース部材の取り付けも確実に行うことができる。
そして、２つの外胴ケース部材の一方及び他方の底部に底ケース部材が取り付けられるので、底ケース部材は、単に両外胴ケース部材の底部を覆うだけでなく、両外胴ケース部材の連結強化にも寄与することになる。
【００１４】
本発明による飲料容器の更なる特徴構成は、前記外胴ケースが、前記内容器における前記内容器上部の下方の一部、前記首部、及び、前記内容器下部の外方のみを覆うように構成され、当該内容器の前記内容器上部の上方の一部が露出されている点にある。
【００１５】
上記特徴構成によれば、外胴ケースが、内容器における内容器上部の上方の一部を除いてその下方を覆うことになるので、加熱機構により内容器内の液体を加熱した際、高温になる可能性のある内容器部分を覆うことができ、外胴ケースによって内容器の必要部分を効率よく覆ってコストの削減を図ることができる。
【００１６】
上記目的を達成するための本発明による飲料容器の組み付け方法は、上述した特徴構成のいずれかひとつを備えた飲料容器の組み付け方法であって、その特徴構成は、
前記複数の外胴ケース部材のそれぞれを前記内容器の横側方から当該内容器の少なくとも前記内容器下部の外方に組み付ける点にある。
【００１７】
上記特徴構成によれば、上述したように、例えば、複数の外胴ケース部材からなる外胴ケースを内容器の外形に沿った形状に構成して、外胴ケースのデザインの自由度の向上と小型化を図ることができ、しかも、外胴ケース及びハンドルの組み付け作業は比較的容易なものとなる。
【図面の簡単な説明】
【００１８】
【図１】電気ケトルの外観を示す斜視図
【図２】電気ケトルの使用状態を示す斜視図
【図３】ケトル本体の縦断面図
【図４】ケトル本体の組み付け状態を示す分解斜視図
【図５】ケトル本体の組み付け状態を示す分解斜視図
【図６】ケトル本体の組み付け状態を示す分解斜視図
【発明を実施するための形態】
【００１９】
本発明の実施の形態について、図面に基づいて説明する。
本願に係る電気ケトル（飲料容器の一例）１は、図１〜図３に示すように、電源プレート２とケトル本体３から構成されている。電源プレート２は、図２に示すように、外形円形のプレートとして構成されており、その上面の中心部に給電機構４を備え、電源ケーブル（図示せず）をコンセント（図示せず）に接続することで、給電機構４を介して、ケトル本体３に給電可能に構成されている。
給電機構４は、電源プレート２の中心位置に、その上面より突出して形成されており、電源プレート２上にケトル本体３が載置された給電状態においては、給電機構４がケトル本体３内に嵌り込み、ケトル本体３の受電機構５を介してケトル本体３への給電が可能に構成されている。
【００２０】
ケトル本体３は、図３に示すように、水（液体）を貯留して加熱する有底の樹脂製の内容器６と、内容器６の外方を所定の間隔を隔てて覆う樹脂製の外胴ケース７と、外胴ケース７と一体的に形成された樹脂製のハンドル８と、注ぎ口９を備えて内容器６の上方開口を開閉自在に覆う蓋体１０とを主な部材として構成されている。
内容器６は、図３〜図５に示すように、その上下方向間に位置する首部６ｂで絞られて当該首部６ｂより上方の内容器上部６ａと当該首部６ｂより下方の内容器下部６ｃとを有している。つまり、内容器６は、首部６ｂが最も小径で、首部６ｂより下方に行くに従って徐々に大径になって内容器下部６ｃの下端部が最大径となり、内容器上部６ａが首部６ｂより若干大径となる形状に構成されている。
【００２１】
内容器下部６ｃの側部上方側には、図４及び図５に示すように、内容器６の中心線Ｌを挟んで相対向する側、具体的には、注ぎ口９側（前方側）とハンドル８側（後方側）とに外胴ケース７を取り付けるための一対の取り付け部材１４が連設され、各取り付け部材１４には、内容器６の接線方向に平行な貫通孔１４ａが設けられている。
内容器６における内容器下部６ｃの側部には、外胴ケース７の外方から内容器６内の湯水の容量を目視するための透過性材料１１ａからなる透視部１１が設けられている。透視部１１を構成する透過性材料１１ａには、容量目盛１２が設けられ、透視部１１の上方には、外胴ケース７を取り付けるためのネジ孔１３ａ付きのボス部１３が連設されている。
内容器下部６ｃの外周部には、内容器６と外胴ケース７との間に所定の間隔を保持するための複数の部分円環状のリブ１５が、透視部１１とハンドル８の取り付け部位を避けた位置において径方向外方側に突出する状態で連設されている。
【００２２】
内容器６の下方には、図３に示すように、内容器６内の水を加熱する概略円形状の電熱ヒータ（加熱機構の一例）１６と、電熱ヒータ１６への通電を断続するスイッチ機構１７と、バイメタル（蒸気検知機構の一例）１８とが設けられている。スイッチ機構１７は、バイメタル１８が電熱ヒータ１６による加熱によって内容器６内に生じた蒸気を検知するのに伴って、より具体的には、バイメタル１８が蒸気の接触により設定温度（１００℃近傍）にまで加熱されることによる変形に伴って、電熱ヒータ１６への通電を停止する。
そのため、内容器６のハンドル８側には、横断面形状がコの字状の検知用蒸気流路形成体１９が上下方向に沿って取り付けられ、検知用蒸気流路形成体１９と内容器６の外周部との間に、内容器６内の蒸気をバイメタル１８にまで導く検知用蒸気流路２０が内容器６の外方でハンドル８側に形成配置されている。
【００２３】
検知用蒸気流路形成体１９の上方には、電熱ヒータ１６への通電を開始する通電スイッチ２１を備えた揺動レバー２２が配設され、揺動レバー２２とスイッチ機構１７とを連動連結するリンク機構２３が検知用蒸気流路形成体１９の外側に沿って配設されている。
そして、通電スイッチ２１を下方へ押圧すると、リンク機構２３及びスイッチ機構１７を介して電熱ヒータ１６に通電されて内容器６内の水が加熱され、バイメタル１８が蒸気を検知すると、スイッチ機構１７が電熱ヒータ１６への通電を停止するとともに、スイッチ機構１７及びリンク機構２３を介して通電スイッチ２１を押し上げて元の位置に戻すように構成されている。
【００２４】
内容器６の外方を覆う外胴ケース７は、図４及び図５に示すように、上下方向に延出するハンドル８の延出方向に沿って当該ハンドル８を略均等な一対のハンドル部材８ａ、８ｂに二分してその中心を通る状態で２つの外胴ケース部材７ａ、７ｂに分割されている。つまり、一方のハンドル部材８ａを有する一方の外胴ケース部材７ａと他方のハンドル部材８ｂを有する他方の外胴ケース部材７ｂとに略均等に二分割され、両外胴ケース部材７ａ、７ｂが、内容器６の横側方から内容器６の外方に組み付け可能に構成されている。
一方の外胴ケース部材７ａには、その前方側の端部の内側にネジ孔２４ａ付きの比較的短いボス部２４が連設され、後方側の端部の内側にネジ孔２５ａ付きの比較的長いボス部２５が連設され、その前方側及び後方側の端部の内側には、他方の外胴ケース部材７ｂを係止するための複数の係止部材２６ａがそれぞれ設けられている。
【００２５】
他方の外胴ケース部材７ｂには、内容器６の透視部１１に対応する状態で透過性覆い部材２７ａにより封鎖される透視用開口部２７が設けられ、透視用開口部２７の上方には、内容器６側のボス部１３に対応する状態で貫通孔２８ａ付きのボス部２８が内容器６側に向けて突設されている。
内容器６側のボス部１３及び他方の外胴ケース部材７ｂ側のボス部２８は、内容器６と外胴ケース７との間に所定の間隔を保持するためにも寄与し、更に、他方の外胴ケース部材７ｂにおける透視用開口部２７の縁部には、内容器６と外胴ケース７との間に所定の間隔を保持するための上方解放のコの字状のリブ２９が、内側に位置する内容器６側に向けて突出するように一体形成されている。
そして、当該他方の外胴ケース部材７ｂの前方側及び後方側の端部には、一方の外胴ケース部材７ａの端部に設けられた複数の係止部材２６ａに係合する複数の被係止部材２６ｂがそれぞれ設けられている。
【００２６】
一方の外胴ケース部材７ａは、図４及び図５に示すように、内容器６の外方を覆う状態で、ネジ（螺合部材の一例）２４ｂを前方側の取り付け部材１４の貫通孔１４ａを通して短い方のボス部２４のネジ孔２４ａに螺合し、ネジ（螺合部材の一例）２５ｂを後方側の取り付け部材１４の貫通孔１４ａを通して長い方のボス部２５のネジ孔２５ａに螺合することにより、一対の取り付け部材１４を介して横側方から内容器６に組み付け可能に構成されている。
他方の外胴ケース部材７ｂは、当該一方の外胴ケース部材７ａに対して、被係止部材２６ｂを一方の外胴ケース部材７ａの係止部材２６ａに係合するとともに、ネジ１３ｂをボス部２８の貫通孔２８ａを通して一方の外胴ケース部材７ａ側のボス部１３のネジ孔１３ａに螺合することにより、横側方から内容器６に組み付け可能に構成されている。
【００２７】
２つの外胴ケース部材７ａ、７ｂを内容器６の外方に取り付けた状態では、他方の外胴ケース部材７ｂが、内容器６側に連設される一対の取り付け部材１４及びネジ２４ｂ、ネジ２５ｂを覆い隠すとともに、図１及び図６に示すように、両外胴ケース部材７ａ、７ｂに連設される一対のハンドル部材８ａ、８ｂが、検知用蒸気流路形成体１９の上方の通電スイッチ２１を挟み込むようにして検知用蒸気流路形成体１９とリンク機構２３とを覆って、両ハンドル部材８ａ、８ｂにより構成されるハンドル８の基部内、より具体的には、両外胴ケース部材７ａ、７ｂと両ハンドル部材８ａ、８ｂとの接続部の内側に検知用蒸気流路２０が配置されることになる。
そして、内容器６側のリブ１５が、両外胴ケース部材７ａ、７ｂの内面に、他方の外胴ケース部材７ｂ側のリブ２９が、内容器６の外面に当接するとともに、内容器６側のボス部１３と他方の外胴ケース部材７ｂ側のボス部２８も互いに当接して、内容器６と外胴ケース７との間に所定の間隔が保持される。
【００２８】
このようにして、内容器６の外方に両外胴ケース部材７ａ、７ｂを取り付けた状態では、両外胴ケース部材７ａ、７ｂからなる外胴ケース７が、内容器６における内容器上部６ａの下方の一部、首部６ｂ、及び、内容器下部６ｃの外方のみを覆って、内容器上部６ａの上方の一部が露出される。
内容器６の下方中心位置には、電源プレート２の給電機構４から受電する受電機構５が設けられ、両外胴ケース部材７ａ、７ｂの底部には、図６に示すように、樹脂製の底ケース部材３０が取り付けられて、図３に示すように、底ケース部材３０が、内容器６の下方に位置する受電機構５以外の部分を覆い隠すように構成されている。
底ケース部材３０は、その中心位置に給電機構４挿入用の円形開口部３０ａを備え、両外胴ケース部材７ａ、７ｂの下方端部に外嵌する状態で、ネジにより内容器６側に連結固定される。
【００２９】
内容器６の上方を覆う蓋体１０は、その前方に注ぎ口９を備え、内容器６の上方開口に装着自在な蓋本体３１と、蓋本体３１に上方から被さる蓋カバー３２と、蓋カバー３２に揺動自在に取り付けられた前後方向に延出する注ぎ口開閉部材３３とを主な部材として構成されている。
蓋本体３１には、図３に示すように、弁体３４ａ、弁座３４ｂ、及び、弁体３４ａを弁座３４ｂに弾性的に当接させるスプリング３４ｃからなる弁機構３４が内装され、注ぎ口開閉部材３３の後方側に設けられた操作部３３ａを下方へ押し下げることにより、弁体３４ａがスプリング３４ｃの弾性力に抗して弁座３４ｂから離間して弁機構３４が開弁し、内容器６内の湯水が注出路３５を通って注ぎ口９から流出可能に構成されている。
蓋本体３１には、電気ケトル１の転倒時に湯水の流出を防止するためのボール３６を収納するボール収納室３７が設けられ、通常の姿勢においては、図３において破線で示すように、内容器６からの蒸気が、ボール収納室３７を通って検知用蒸気流路２０に導かれると同時に、注ぎ口９に導かれて外部に放出されるように構成されている。
【００３０】
ケトル本体３の組み付け方法について説明する。
まず、図４に示すように、内容器６の側部におけるハンドル８の取り付け部位に検知用蒸気流路形成体１９を取り付け、その上方に通電スイッチ２１を有する揺動レバー２２を配置するとともに、その外方にリンク機構２３を配置する。
その後、一方の外胴ケース部材７ａを内容器６の横側方から内容器６の外方に組み付け、ネジ２４ｂ、２５ｂを取り付け部材１４の貫通孔１４ａを通して一方の外胴ケース部材７ａのボス部２４、２５のネジ孔２４ａ、２５ａに螺合して、一方の外胴ケース部材７ａを内容器６に取り付ける。
次に、図５に示すように、他方の外胴ケース部材７ｂを内容器６の横側方から内容器６の外方に組み付け、その前方側及び後方側の端部に設けられた被係止部材２６ｂを一方の外胴ケース部材７ａの前方側及び後方側の端部に設けられた係止部材２６ａに係止するとともに、そのボス部２８の貫通孔２８ａにネジ１３ｂを通して内容器下部６ｃのボス部１３のネジ孔１３ａに螺合して、他方の外胴ケース部材７ｂを内容器６及び一方の外胴ケース部材７ａに取り付ける。
【００３１】
その後、図６に示すように、両外胴ケース部材７ａ、７ｂにより形成された外胴ケース７の底部に底ケース部材３０を組み付けてネジにより内容器６に取り付ける。
そして、最後に、蓋体１０を内容器６に組み付け、透過性覆い部材２７ａを透視用開口部２７に取り付ける。
ただし、蓋体１０の組み付けは、必ずしも最後に行う必要はなく、例えば、一方の外胴ケース部材７ａを内容器６に取り付ける前、あるいは、取り付けた後に組み付けることもできる。
同様に、透過性覆い部材２７ａの取り付けに関しても、他方の外胴ケース部材７ｂを内容器６側に取り付けた後であれば、適当な時期に自由に取り付けることができる。
【００３２】
〔別実施形態〕
（Ａ）上記実施形態では、飲料容器の一例として電気ケトル１を示したが、電気ケトル１以外にも、例えば、電気ポットや卓上ポットなどの各種の飲料容器に適用可能である。
また、外胴ケース７が、ハンドル８を二分する状態で２つの外胴ケース部材７ａ、７ｂにより構成された例を示したが、当該外胴ケース７を、ハンドル８を二分する状態で３つあるいは４つ以上の外胴ケース部材により構成することもできる。
更に、一方の外胴ケース部材７ａを内容器６に連設された取り付け部材１４に取り付ける際、ネジ（螺合部材の一例）２４ｂ、２５ｂを使用した例を示したが、この外胴ケース部材７ａの取り付けに関しては、ビス、ボルト、あるいは、ボルト・ナットなど、種々の螺合部材を使用することができる。
【００３３】
（Ｂ）上記実施形態では、一方の外胴ケース部材７ａを取り付けるための取り付け部材１４が、内容器６の中心線Ｌを挟んで相対向する側に一対設けられた例を示したが、取り付け部材１４の個数や位置については、適宜変更することができる。
また、外胴ケース７が、内容器６における内容器上部６ａの一部、首部６ｂ、内容器下部６ｃの外方のみを覆うように構成した例を示したが、例えば、内容器６全体を完全に覆うように構成することも、また、内容器６の首部６ｂから下のみを覆うように構成することもでき、この点についても適宜変更することができる。
【００３４】
（Ｃ）上記実施形態では、通電スイッチ２１が一対のハンドル部材８ａ、８ｂにより挟み込まれるように配置した構成を示したが、通電スイッチ２１の配置については適宜変更することができる。
また、蒸気検知機構の一例としてバイメタル１８を示したが、例えば、蒸気又は温度を検知するセンサにより蒸気検知機構を構成し、当該センサを内容器６の上方などに配置することもできる。その場合、検知用蒸気流路２０は、上記実施形態のように、内容器６の外方でハンドル８側に設ける必要はない。
【００３５】
なお、上記の実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００３６】
以上説明したように、外観のデザインの自由度の向上と小型化が可能で、しかも、組み付け作業が比較的容易な飲料容器とその飲料容器の組み付け方法を得ることができる。
【符号の説明】
【００３７】
１              電気ケトル（飲料容器）
６              内容器
６ａ            内容器上部（内容器）
６ｂ            首部（内容器）
６ｃ            内容器下部（内容器）
７              外胴ケース
７ａ、７ｂ      外胴ケース部材
８              ハンドル
８ａ、８ｂ      ハンドル部材
１４            取り付け部材
１６            電熱ヒータ（加熱機構）
１８            バイメタル（蒸気検知機構）
２０            検知用蒸気流路
２１            通電スイッチ
２４ｂ、２５ｂ  ネジ（螺合部材）
３０            底ケース部材
Ｌ              内容器の中心線
【図１】
2014223194.tif 000003
【図２】
2014223194.tif 000004
【図３】
2014223194.tif 000005
【図４】
2014223194.tif 000006
【図５】
2014223194.tif 000007
【図６】
2014223194.tif 000008